(57)【要約】【課題】  浸透マンホールの透水性能の大幅な改善を図ると共に、透水性能の維持管理が容易で、かつマンホール自体の強度低下等の問題を生ずることが全くない、浸透マンホールを提供する。【解決手段】  浸透マンホール１０の側壁１１の外側に、透水性の中空管状のポリプロピレン不織布筒体２１を備え、この不織布筒体２１を保護する補強帯体を巻きつけて形成した透水体２０を配設し、この透水体２０を浸透マンホール１０の側壁１１に設けた貫通孔１２に連接した。この浸透マンホール１０は、従来の貫通孔にフィルタを装着したものに比し、透水面積が非常に大きく、また、高圧水等により容易に清掃することができ、管理手間が激減する。【選択図】        図１(ａ)
2010090598.tif 000002
【特許請求の範囲】
【請求項１】
浸透マンホールの側壁の外側に、透水性の殻を備えた透水体を配設し、該透水体を浸透マンホール側壁の貫通孔に連接したことを特徴とする浸透マンホール。
【請求項２】
前記透水体は、透水性不織布から成る筒体と、該不織布筒体を保護する補強線材とから成ることを特徴とする請求項１記載の浸透マンホール。
【請求項３】
前記透水体の両端をそれぞれマンホールに設けた貫通孔に取付けたものであることを特徴とする請求項１又は２記載の浸透マンホール。
【発明の詳細な説明】
【技術分野】
【０００１】
本発明は、浸透マンホールに関する。
【背景技術】
【０００２】
浸透マンホールは、マンホール内からマンホール設置周囲の地中に水を浸透させるようにしたマンホールである。
【０００３】
従来、浸透マンホールは、マンホールの側壁及び底板に貫通孔を設け、マンホール周囲に砕石等による透水層を形成し、マンホール内の水を地中に浸透させる構造となっている。そして、透水層が泥土等による目詰りを起さないように、貫通孔に透水フィルタを装着している。
【０００４】
このような従来の浸透マンホールでは、貫通孔に装着した透水フィルタが泥水その他により汚染して目詰りを起した場合、フィルタをマンホール内側から取外して洗浄または交換することができる構造となっている。（例えば特許文献１、２参照）。
【０００５】
従来の浸透マンホールの透水フィルタは、元来透水性が小さいという問題があり、また、透水性能を維持するためには、フィルタを取外し洗浄または交換する手間がかかり、性能低下を免れないという問題があった。一方、貫通孔の数を増加したり、貫通孔径を大きくすることは、マンホールの強度低下の問題があるので、制約がある。
【特許文献１】特開２００５−３０７４６４号公報
【特許文献２】特開２００６−７７３９４号公報
【発明の開示】
【発明が解決しようとする課題】
【０００６】
本発明は、浸透マンホールの透水性能の大幅な改善を図ると共に、透水性能の維持管理が容易で、かつマンホール自体の強度低下等の問題を生ずることが全くない、浸透マンホールを提供することを目的とする。
【課題を解決するための手段】
【０００７】
上記課題を解決するための本発明の技術手段は次のとおりである。すなわち、本発明は浸透マンホールの側壁の外側に、透水性の殻を備えた透水体を配設し、該透水体を浸透マンホール側壁の貫通孔に連接したことを特徴とする浸透マンホールである。
【０００８】
前記透水体の形状は限定されるものではなく、袋体、筒体、管状、その他任意の形状のものを用いることができるが、強度、経済性、取扱性その他を勘案すると、透水性不織布から成る筒体と、この不織布筒体を保護する補強線材とから構成した管状のものとすると、好適である。
【０００９】
前記透水体は、その両端をそれぞれマンホールに設けた貫通孔に取付けると、高圧水ジェット又は圧縮空気等によって透水体内を簡単に清掃して良好な透水性能を維持することができ、好ましい。
【発明の効果】
【００１０】
本発明によれば、マンホールの側壁に設けた貫通孔にフィルタを装着した従来の浸透マンホールに比し、貫通孔にフィルタを装着することなく、貫通孔の数や孔径を減少させることができ、マンホールの外部に設けた透水体によってマンホールから外部への水の透水面積を格段に増大することができる。
【００１１】
さらに、この透水体は高圧水ジェット又は圧縮空気等により容易に、十分に清浄化することができ、透水性能の低下を容易に回復させることができ、通水性能の維持管理は著しく向上する。
【００１２】
従って、本発明は、透水性能の大能力化、目詰り等の防止、保守管理の手間の減少及び合理化を図ることができるという優れた効果を奏する。
【発明を実施するための最良の形態】
【００１３】
以下、図面を参照して本発明を実施するための最良の形態について説明する。
【００１４】
まず、従来技術について図面を参照して説明する。
【００１５】
図６は従来の浸透マンホール１００の一例を示す縦断面図である。地中に埋設された浸透マンホール１００は、排水の流入管１０１と排水管１０２とを備えており、その下方に、地中への水の浸透部を形成する筒体１０７を備えている。筒体１０７の側壁１０３には浸透貫通孔１０４が設けられ、底板１０５には浸透貫通孔１０６が設けられている。浸透貫通孔１０４及び１０６には、フィルタ１０８が装着されている。この筒体１０７は単粒度砕石などによって形成した人工透水層１１０内に設けられている。人工透水層１１０は透水性シート１１１内に収納されており、泥土等の浸入により目詰りを生じないように維持される。
【００１６】
人工透水層１１０は、鉛直高さ（施設高）が設計水頭Ｈと等しく、浸透マンホール１００の筒体１０７の底板１０５の下端から５００ｍｍ以上の深さを有するものとする。また、人工透水層１１０の施設幅は筒体１０７の直径の外周から外方に５００ｍｍ以上の隙間をもつように形成されている。
【００１７】
図６に示す従来の浸透マンホールの例では、地下水の水位１１３は人工透水層１１０の頂部に達している。従って、浸透マンホール１００の下部筒体１０７は地下水中に埋没されており、下部筒体１０７内にも水が充満している。地下水の水位１１３が下れば筒体１０７は中空となる。流入管１０１から大量の水がマンホール内に流入したとき、浸透マンホール１００から地中に浸透する水を上廻る量が排水管１０２を通って排出されることとなる。このとき、浸透マンホール１００は、地中に水を浸透させる十分な能力を備えていなければならない。
【００１８】
図４（ａ）は従来の浸透マンホールの下部筒体１０７の縦断面図（図４（ｂ）のＢ−Ｂ矢視図）を示し、図４（ｂ）は図４（ａ）のＡ−Ａ矢視図である。筒体１０７の側壁１０３にはフィルタ１０８を取付けた浸透貫通孔１０４が上下段各４個、計８個設けられている。また、底板１０５の中央にはフィルタ１０８を取付けた浸透貫通孔１０６が設けられている。
【００１９】
図５は浸透マンホール１００の浸透貫通孔１０４に取り付けられる従来のフィルタ１２０の構造例を分解斜視図で示したものである。
【００２０】
筒体１２１は上記マンホール１００の貫通孔内に内嵌する寸法となっており、一端に、網目状の孔明蓋板１２２を備えている。この筒体１２１を、蓋板１２２側をマンホール外面側にして、浸透マンホール１００の貫通孔に外側から押し込み、この筒体１２１内にマンホール内側からスポンジ状のフィルタ１２３を押し込んで収納し、網目状の孔明フィルタ蓋１２４を浸透マンホール１００の内側から筒体１２１に装着するようになっている。フィルタ１２３を洗浄または交換するとき、浸透マンホール内から孔明フィルタ蓋１２４を取外し、筒体１２１内からフィルタ１２３を取出し、水で洗浄または交換して透水性能を回復させる。フィルタ１２３は、元来、透水抵抗が大きく、大量の水を迅速に通過させることはできない。一方、マンホールの浸透貫通孔１０４,１０６の数を増やしたり、浸透貫通孔１０４,１０６の径を大きくすることは、浸透マンホール１００の強度低下を招くので好ましくない。
（実施例１）
図１（ａ）は本発明の実施例の浸透マンホール１０の側面図、図１（ｂ）はその平面図を示したものである。この例では、浸透マンホール１０の側壁１１に貫通孔１２が周方向３ヶ所、上下２段に設けられている。この上下の貫通孔１２にそれぞれ透水性の殻を備えた中空の透水体２０が接続されている。透水体２０の形状は任意のものを用いることができるが、この例では筒体２１とした。貫通孔１２には、接続体１４が嵌め込み固定され、この接続体１４に筒体２１の両端が接続されている。
【００２１】
筒体２１の例を図３に示した。筒体２１は透水性の殻をなす中空管状の不織布２２と、この中空管状の不織布２２の外周に巻き付けられ、筒体２１の強度を負担する骨格をなす補強帯体２３とから構成されている。不織布２２は例えばポリプロピレンから成り、軽量、強靭な薄膜であって、透水面積が大きく、優れたフィルタ効果及び優れた透水性を有するものである。
【００２２】
補強帯体２３は例えばバンド状に形成され、中空管状の不織布２２の外周にスパイラル状に巻きつけられる。補強帯体２３の材質は、例えばポリプロピレンから成り、強度が大で腐食性がない。さらに、適宜の補強リブ２４等を設けることにより、強度や剛性を高めることが容易である。図３の例では、背面に２条の補強リブ２４を設けた帯状の補強帯体２３が示されている。
【００２３】
このような中空管状の不織布２２とその外周に補強帯体２３をスパイラル状に巻きつけた透水管の市販品もある。このような透水管としては、直径５０ｍｍ〜２００ｍｍφの管状のものがある。そのような市販品を用いて本発明を実施することができる。
（実施例２）
図２（ａ）は実施例２の浸透マンホール１０の側面図、図２（ｂ）はその平面図である。この実施例２は透水体２０として実施例１と同様の筒体２１をスパイラル状に浸透マンホール１０の外側に設け、透水面積の拡大を図ったものである。
【００２４】
この実施例では、例えば、円形０号マンホール（外径９００ｍｍφ）の場合に、筒体２１は浸透マンホール１０の外側に、内径７５ｍｍφ、長さ約５．８ｍの２本の筒体２１をスパイラルピッチ３００ｍｍ、スパイラル径１２００ｍｍとした。そして、浸透マンホール１０の側壁１１に設けた高低差９００ｍｍの上下貫通孔１２に連結した。この連結には、貫通孔１２に取付けた連結体１５を用いた。
【００２５】
以上の実施例１及び実施例２の具体的な寸法例を円形０号〜円形５号のマンホールについて表１にまとめて示した。
【００２６】
【表１】
2010090598.tif 000003
【００２７】
表１には、マンホールの大きさを規格の円形０号から円形５号までについて、適切な例の透水体の寸法及び数量を示し、従来の透水フィルタの浸透面積に対して、（実施例の透水体の浸透面積）／（従来例の透水フィルタの透水面積）の値を比として示した。
【００２８】
この比の値は、実施例１では１．５〜２．３であり、実施例２では６．２〜８．４となり、従来に対して著しく大きくなった。なお、従来の透水フィルタに比べて、実施例の透水体は透水抵抗が小さいので、実際の透水能力は、上述の比の値よりもさらに大きくなる。
【００２９】
また実施例では、高圧水又は圧縮空気等を用いて透水体内をジェット洗浄することにより容易に透水能力の回復を図ることができ、浸透マンホールの保守、管理が極めて容易となった。
【００３０】
なお、以上の実施例１，２では、透水体として、不織布から成る管状の筒体を示したが、本発明はこれに限定されるものではなく、任意の形状、大きさの透水体を用いることができる。
【図面の簡単な説明】
【００３１】
【図１（ａ）】実施例の側面図である。
【図１（ｂ）】図１（ａ）の平面図である。
【図２（ａ）】実施例の側面図である。
【図２（ｂ）】図２（ａ）の平面図である。
【図３】実施例の透水体の一部を断面した側面図である。
【図４（ａ）】従来の浸透マンホール下部筒体の縦断面図（図４（ｂ）のＢ−Ｂ矢視図）である。
【図４（ｂ）】図４（ａ）のＡ−Ａ矢視図である。
【図５】従来のフィルタの分解斜視図である。
【図６】浸透マンホールを説明する縦断面図である。
【符号の説明】
【００３２】
１０,１００    浸透マンホール
１１, １０３    側壁
１２    貫通孔
１４    接続体
１５    連結体
２０    透水体
２１, １０７,１２１    筒体
２２    不織布
２３    補強帯体
２４    補強リブ
３０，１０５    底板  
１０１    排水の流入管
１０２    排水管
１０４，１０６    浸透貫通孔
１０８,１２３    フィルタ
１１０    人工透水層
１１１    透水性シート
１１３    地下水の水位
１２２    孔明蓋板
１２４    孔明フィルタ蓋
【図１（ａ）】
2010090598.tif 000004
【図１（ｂ）】
2010090598.tif 000005
【図２（ａ）】
2010090598.tif 000006
【図２（ｂ）】
2010090598.tif 000007
【図３】
2010090598.tif 000008
【図４（ａ）】
2010090598.tif 000009
【図４（ｂ）】
2010090598.tif 000010
【図５】
2010090598.tif 000011
【図６】
2010090598.tif 000012